(57)【要約】【課題】  隣接する蓋板の端縁部間に隙間が生じても、該隙間を通じて湯気が漏れることがなく保温性が良好に保持される風呂蓋を提供する。【解決手段】  複数枚の蓋板１から成り、隣接する蓋板１の端縁部２同士を突き合わせて浴槽の開口縁上に設置される風呂蓋において、隣接する蓋板１の対向する端縁部２のうち少なくとも一方に、他方の端縁部２に弾接する軟質のひれ片部４を設ける。【選択図】図１
2009077817.tif 000002
【特許請求の範囲】
【請求項１】
複数枚の蓋板から成り、隣接する蓋板の端縁部同士を突き合わせて浴槽の開口縁上に設置される風呂蓋において、隣接する蓋板の対向する端縁部のうち少なくとも一方に、他方の端縁部に弾接する軟質のひれ片部を設けていることを特徴とする風呂蓋。
【請求項２】
上記ひれ片部は、他方の端縁部に弾接する側の面が凹曲面となるように湾曲させて成形したものであることを特徴とする請求項１に記載の風呂蓋。
【発明の詳細な説明】
【技術分野】
【０００１】
本発明は、隣接する蓋板の端縁部同士を突き合わせて設置される風呂蓋に関する。
【背景技術】
【０００２】
図２、図３には、例えば特許文献１にも記載されるような、一対の分割された蓋板１から成る一般的な風呂蓋を示している。この風呂蓋にあっては、図２に示すように、隣接する蓋板１の端縁部２同士を突き合わせた状態で、浴槽３の開口縁上に設置するようになっている。
【０００３】
上記風呂蓋にあっては、図３（ａ）に示すように端縁部２同士を対向面全体で当接させることが好ましいが、浴槽３内から生じる湯気等の影響によって蓋板１が反りを生じた場合には、図２や図３（ｂ）に示すように、隣接する蓋板１の端縁部２同士の間に２〜３ｍｍ程度の隙間Ｓが生じ易くなる。この隙間Ｓを通じて浴槽３内から湯気が漏れると、風呂蓋の保温性が大幅に低下するという問題がある。
【特許文献１】特開２００４−２３７０６５号公報
【発明の開示】
【発明が解決しようとする課題】
【０００４】
本発明は上記問題点に鑑みて発明したものであって、隣接する蓋板の端縁部同士の間に隙間が生じても、該隙間を通じて湯気が漏れることがなく、保温性が良好に保持される風呂蓋を提供することを課題とするものである。
【課題を解決するための手段】
【０００５】
上記課題を解決するため、本発明は、複数枚の蓋板１から成り、隣接する蓋板１の端縁部２同士を突き合わせて浴槽３の開口縁上に設置される風呂蓋において、隣接する蓋板１の対向する端縁部２のうち少なくとも一方に、他方の端縁部２に弾接する軟質のひれ片部４を設けている。
【０００６】
このようにすることで、蓋板１に反りが生じる等して隣接する端縁部２間に隙間Ｓが生じても、ひれ片部４が存在することにより、隙間Ｓを通じて浴槽３内から外部空間に湯気が漏れることは防止される。
【０００７】
上記ひれ片部４は、他方の端縁部２に弾接する側の面４ａが凹曲面となるように湾曲させて成形したものであることが好適である。
【０００８】
このようにすることで、端縁部２同士の間に小さな隙間Ｓが生じる場合は勿論のこと、大きな隙間Ｓが生じる場合であっても、ひれ片部４の少なくとも先端側が他方の端縁部２に問題なく弾接することになる。したがって、隙間Ｓを通じて浴槽３内から外部空間に湯気が漏れることは更に確実に防止される。
【発明の効果】
【０００９】
請求項１に係る発明は、隣接する蓋板の端縁部同士の間に隙間が生じた場合であっても、ひれ片部が存在することにより、該隙間を通じて湯気が漏れることが防止されるという効果を奏する。
【００１０】
また請求項２に係る発明は、請求項１に係る発明の効果に加えて、浴槽内から湯気が漏れることが更に確実に防止されるという効果を奏する。
【発明を実施するための最良の形態】
【００１１】
以下、本発明を添付図面に示す実施形態に基づいて説明する。図１には、本発明の実施形態における一例の風呂蓋の要部側面を示している。
【００１２】
本例の風呂蓋は、図２，図３に示した従来の風呂蓋と同様に、一対の蓋板１から成り、隣接する蓋板１の端縁部２同士を突き合わせた状態で、浴槽３の開口縁上に設置されるようになっている。
【００１３】
図１（ａ）には端縁部２同士を突き合わせる前の状態、図１（ｂ）には端縁部２同士を突き合わせた状態、図１（ｃ）には突き合わせた端縁部２同士の間に隙間Ｓが生じた場合を、それぞれ示している。図示のように、隣接する一対の蓋板１の対向する端縁部２のうち図中左側である一方の端縁部２（以下「端縁部２ａ」という。）の裏面側角部からは、図中右側である他方の端縁部２（以下「端縁部２ｂ」という。）の裏面側に弾接する軟質のひれ片部４を、水平方向全域に亘って設けている。加えて、他方の端縁部２ｂの表面側角部からは、一方の端縁部２ａの表面側に弾接する軟質のひれ片部４を、水平方向全域に亘って設けている。
【００１４】
一方の端縁部２ａのひれ片部４は、他方の端縁部２ｂの裏面に弾接する側の面４ａが凹曲面となるように湾曲させて成形したものである。また、他方の端縁部２ｂのひれ片部４は、一方の端縁部２ａの表面に弾接する側の面４ａが凹曲面となるように湾曲させて成形したものである。
【００１５】
上記構成の風呂蓋においては、裏面側にひれ片部４を有する一方の蓋板１を先に浴槽３の開口縁上に設置し、この一方の蓋板１のひれ片部４に対して上方から、表面側にひれ片部４を有する他方の蓋板１の端縁部２ｂを被せてゆく。これにより、図１（ｂ）に示すように、一方の端縁部２ａのひれ片部４の内側の面４ａが他方の端縁部２ｂの裏面に弾接するとともに、他方の端縁部２ｂのひれ片部４の内側の面４ａが一方の端縁部２ａの表面に弾接し、表面側と裏面側のひれ片部４により浴槽３内が確実に封止されることになる。
【００１６】
ここで、浴槽３内から生じる湯気等の影響により蓋板１が反りを生じた場合には、隣接する蓋板１の端縁部２ａ，２ｂ同士の間に隙間Ｓが生じることがある。しかし、図１（ｃ）に示すように、この状態においてもひれ片部４はその先端部において、対向する端縁部２ａ，２ｂに弾接する。したがって、隙間Ｓはその表面側と裏面側の両方のひれ片部４で塞がれた状態に保持されるので、隙間Ｓを通じて浴槽３内から湯気が漏れることは防止される。
【００１７】
なお、本例の風呂蓋においては、隣接する蓋板１の対向する端縁部２ａ，２ｂの両方にひれ片部４を設けているが、一方にのみひれ片部４を設けた構造であってもよい。
【００１８】
例えば、図中左側の蓋板１の裏面側のひれ片部４のみを設けた場合であっても、端縁部２ａ，２ｂ同士の間に隙間Ｓが生じた場合には、裏面側のひれ片部４が隙間Ｓと浴槽３内との間を塞ぐこととなり、浴槽３内の湯気が漏れることは防止される。
【００１９】
また、図中右側の蓋板１の表面側のひれ片部４のみを設けた場合であっても、端縁部２ａ，２ｂ同士の間に隙間Ｓが生じた場合には、表面側のひれ片部４が隙間Ｓと外部空間との間を塞ぐこととなり、浴槽３内の湯気が漏れることは防止される。
【００２０】
また、本例の風呂蓋は一対の蓋板１から成るが、三以上の複数枚の蓋板１から成る風呂蓋においても、同様の構成は適用可能である。
【図面の簡単な説明】
【００２１】
【図１】本発明の実施形態における一例の風呂蓋の要部を示す側面図であり、（ａ）は端縁部同士を突き合わせる前の状態、図１（ｂ）は端縁部同士を突き合わせた状態、図１（ｃ）は突き合わせた端縁部間に隙間が生じた場合を示している。
【図２】従来の風呂蓋の設置状態を示す斜視図である。
【図３】同上の風呂蓋の要部を示す側面図である。
【符号の説明】
【００２２】
１  蓋板
２  端縁部
３  浴槽
４  ひれ片部
４ａ  弾接する側の面
【図１】
2009077817.tif 000003
【図２】
2009077817.tif 000004
【図３】
2009077817.tif 000005